(57)【要約】      （修正有）【課題】シャンプーや台所洗剤等に代表される詰替パックの内容物を瓶へ移し替えることなくパックのまま瓶のように使用できる軟包装容器を提供する。【解決手段】内部に縦通材が挿入された袋状容器が傾倒してしまうのを抑制することができる袋状容器、及び容器ユニットを得る。縦通材がスパウトに装着された状態で、縦通材の下端が底部と接触して縦通材が台座を下方へ押圧することで、スパウトと台座とが上下方向で離間しようとし、袋本体の側部もしくは吊紐または吊紐と等価な膜に上下方向の張力が生じている。この張力により袋状容器は倒伏しない。【選択図】図１７
2020007048.tif 000002
【特許請求の範囲】
【請求項１】
上下方向に延びている縦通材と、軟質のシートで袋状に形成され、前記縦通材が挿入されている袋の天部に固定された、前記縦通材が着脱可能に取り付けられているスパウトと、板状で板面が上下方向を向くように、前記袋の底部の外側に着脱可能に取り付けられている台座と、前記台座から生え、前記袋の外側に沿って前記袋天部にあるスパウトに至り、前記スパウトにスパウト挟持材で着脱可能に取り付けられている吊膜を備えたホルダーであって、
前記縦通材が前記スパウト挟持材に装着された状態で、前記縦通材の下端が前記底部と接触して、前記縦通材が前記台座を下方へ押圧することでテコの支点を成し、前記スパウトと前記台座とが上下方向で離間する働きで前記吊膜に縦方向の十分な大きさの初期張力を与えると、ホルダーに作用する曲げや圧縮の任意の向きの外力が、縦通材を支点に向きを揃えられ、ホルダーの吊膜へ張力に化けて渡されるようになる現象を利用し、前記台座と前記縦通材の間に前記袋の底部を咥えて固定すると同時に、前記吊膜に生まれる張力の緊張で以って前記吊膜を、前記縦通材の姿勢を保持する支線としても利用する構造にて外力に拮抗し、前記縦通材と共に直立性ならびに剛性を大きく高めた前記吊膜で前記袋状容器を格子状に囲いかつ上面をスパウト挟持材、下面を台座で閉じることで、前記袋状容器のシートには張力を掛けることなく、それでいながら前記袋状容器の倒伏を抑え直立させられるホルダー。
【請求項２】
上下方向に延びている縦通材と、軟質のシートで袋状に形成され、前記縦通材が挿入されている袋の天部に固定された、前記縦通材が着脱可能に取り付けられているスパウトと、板状で板面が上下方向を向くように、前記袋の底部の外側に着脱可能に取り付けられている台座と、前記台座から生え、前記袋の外側に沿って前記袋天部にあるスパウトに至り、前記スパウトにスパウト挟持材で着脱可能に取り付けられている吊紐を備えたホルダーであって、
前記縦通材が前記スパウト挟持材に装着された状態で、前記縦通材の下端が前記底部と接触して、前記縦通材が前記台座を下方へ押圧することでテコの支点を成し、前記スパウトと前記台座とが上下方向で離間する働きで前記吊紐に縦方向の十分な大きさの初期張力を与えると、ホルダーに作用する曲げや圧縮の任意の向きの外力が、縦通材を支点に向きを揃えられ、ホルダーの吊紐へ張力に化けて渡されるようになる現象を利用し、前記台座と前記縦通材の間に前記袋の底部を咥えて固定すると同時に、前記吊紐に生まれる張力の緊張で以って前記吊紐を、前記縦通材の姿勢を保持する支線としても利用する構造にて外力に拮抗し、前記縦通材と共に直立性ならびに剛性を大きく高めた前記吊紐で前記袋状容器を格子状に囲いかつ上面をスパウト挟持材、下面を台座で閉じることで、前記袋状容器のシートには張力を掛けることなく、それでいながら前記袋状容器の倒伏を抑え直立させられるホルダー。
【発明の詳細な説明】
【技術分野】
【０００１】
本発明は、内部に液体を入れることができる軟質の袋状容器と、この袋状容器を備えた容器ユニットに関する。
【背景技術】
【０００２】
液体シャンプーや家庭用洗剤等の瓶は、従来は使い捨てであったが、近年境問題から詰替パックを購入し空瓶を再利用することで瓶の廃棄物を軽減することが考えられている。
【先行技術文献】
【特許文献】
【０００３】
【特許文献１】特許第３９３６４６４号
【特許文献２】特開２０１４−６９８１８号
【特許文献３】仏国特許発明第１１２０３２７号
【特許文献４】特開２０００−４３８９５号
【特許文献５】国際公開第０３/０５１１５３号
【発明の概要】
【発明が解決しようとする課題】
【０００４】
従来、ポンプディスペンサーに設けられた断面円状の吸引パイプ（縦通材）が、袋状容器の内部に挿入された状態で、ポンプディスペンサーが袋状容器に取り付けられる。しかし、この状態で、ポンプディスペンサーの頭部を押すと、袋状容器が傾倒しまうことがある。本発明の課題は、内部に縦通材が挿入された袋状容器が傾倒してしまうのを抑制することである。
【課題を解決するための手段】
【０００５】
上下方向に延びている縦通材と、軟質のシート材で袋状形成され、前記縦通材が挿入されている袋本体と、前記袋本体の天部に固定され、前記縦通材が着脱可能に取り付けられているスパウトと、板状で板面が上下方向を向くように、前記袋本体の底部の外側に着脱可能に取り付けられている台座とを備え、前記縦通材が前記スパウトに装着された状態で、前記縦通材の下端が前記底部と接触して前記縦通材が前記台座を下方へ押圧することで、前記スパウトと前記台座とが上下方向で離間しようとし、前記袋本体の側部に上下方向の初期張力が生じている容器ユニットにて、前記縦通材を、上下方向に延びる本体部と、前記本体部の下方に配置され、前記本体部に対して上下方向に相対移動する移動部とを有するとともに、前記移動部を前記台座側に付勢する付勢部材を備え、前記付勢部材が、前記移動部を前記台座側に付勢することで、前記スパウトと前記台座の離間を、より確実に可能とした縦通材。と、前記付勢部材は、円弧状又はＶ字状とされており、前記付勢部材の上端が前記本体部に固定され、前記付勢部材の下端が前記移動部に固定され、前記付勢部材の中間部が前記側部側に張り出しており、前記中間部を前記縦通材側に押圧すると、前記付勢部材によって前記移動部を前記台座側に付勢する力が強くなる仕組みの縦通材を用いた袋状容器もしくは、前記スパウトと前記台座の離間する働きで張力を得ていた前記袋状容器側部の代わりに吊紐で張力を作り、張力で緊張する前記吊紐を格子とし、上面をスパウト挟持材、仮面を台座で囲われた籠状の空間を形成し、この籠の中に袋状容器を抱き込ませることで、袋状容器の倒伏を抑止し、自立性を支援するホルダー。
【発明の効果】
【０００６】
本発明によれば、内部に縦通材が挿入された袋状容器が傾倒してしまうのを抑制することができる。そうすれば、袋状容器から厚肉ボトルに詰め替えることなく、袋状容器をそのまま使用でき、手間要らずになる。また、詰め替えを伴う用途に限定されるものではなく、詰め替えを伴わない用途でも、従来のほとんどの用途に用いられている厚肉ボトルは、本願の袋状容器に置き換えられる。すなわち、本願の袋状容器は、肉厚ボトルに対して安価で軽く省資源で運搬もしやすく、さらに、本願の袋状容器の使い勝手は、肉厚ボトルに近い新しい容器として産業上の利用価値も大きい。
【図面の簡単な説明】
【０００７】
【図１】本発明の第１実施形態に係る容器ユニットを示した斜視図である。
【図２】本発明の第１実施形態に係る容器ユニットを示した斜視図である。
【図３】本発明の第１実施形態に係る容器ユニットを示した分解斜視図である。
【図４】本発明の第１実施形態に係る袋状容器を示し、袋状容器を各方向から見た図面である。
【図５Ａ】本発明の第１実施形態に係る容器ユニットの下端部分を示した斜視図である。
【図５Ｂ】本発明の第１実施形態に係る容器ユニットの下端部分を示した断面図である。
【図６】本発明の第１実施形態に係る容器ユニットを示した正面図である。
【図７】本発明の第１実施形態に係る容器ユニットを示した正面図である。
【図８】本発明の第１実施形態に係る容器ユニットを示し、容器ユニットが傾いた状態の正面図である。
【図９】本発明の第１実施形態に係る容器ユニットを示し、容器ユニットが傾いた状態の正面図である。
【図１０】本発明の第１実施形態に係る容器ユニットを示し、容器ユニットが傾いた状態の側面図である。
【図１１】本発明の第１実施形態に係る容器ユニットを示し、容器ユニットが傾いた状態の側面図である。
【図１２Ａ】本発明の第２実施形態に係る容器ユニットの下端部分を示した分解斜視図である。
【図１２Ｂ】本発明の第２実施形態に係る容器ユニットの下端部分を示した断面図である。
【図１３】本発明の容器ユニットを示した斜視図である。
【図１４】本発明の容器ユニットの縦通材等を示した斜視図である。
【図１５】本発明の変形例に係る容器ユニットを示した正面図である。
【図１６】本発明の第３実施形態に係る容器ユニットのワイヤーフレーム（紐）形式の斜視図である。
【図１７】図１６のワイヤーフレームに肉付けをして現実に近い姿（膜）で描いた斜視図である。
【発明を実施するための形態】
【０００８】
張殻構造を利用するとは、どのようなことなのか、まず全体像を説明する。袋状容器は、軟質のシート材（軟包装膜）で形成されている。軟質のシート材は、圧縮や曲げには剛性を殆ど示さない。そのため、従来技術の袋状容器では、容器の中心に立つ柱が偶力でひとたび傾倒しはじめると、周囲の膜では圧縮力や曲げ力が働くので、支えきれず傾倒（倒伏挫滅）してしまう。このため、従来技術の袋状容器を詰め替えなしで瓶のように使用することは実用化されなかった。しかし、膜は引っ張り力に対しては非常に大きな応力を示す。張殻構造とは、膜の張力を利用して剛性を得る方法である。本発明はこれに注目した。   
【０００９】
仮に、袋状容器に外から作用する曲げや圧縮力を、何らかの機構で張力に変換することができる場合には、袋状容器の膜に生じた張力によって、袋状容器は、十分に瓶のように自立できる。曲げや圧縮力を張力に変換する機構を工夫したことで、本発明は、実施することができるようになった。すなわち、曲げや圧縮力を張力に変えるとは、力のベクトルの向きを変える操作を意味する。力の向きを変える機構は数ある。本発明では、最もシンプルな天秤の機構を用いた。天秤は天秤棒（腕）の中心に支点を置いたテコの原理で作動する。テコの原理とは二つの働きを指す。一つは、支点からの距離に応じて力の大きさを変換する作用。もう一つは、力の向きを変える作用である。  
【００１０】
例えば、力点と作用点に着目すると力の向きは必ず正反対となる。シーソーの一方が下がれば他方が上がる現象は、この力の向きを変える働きによる。また支点に働く力は、腕の両端に半分ずつ分配され、しかも支点に対して両端の力の向きは吊り合った状態では必ず反対向きとなる。ギヤプーラーのセンターボルトを締め込むと腕の先にかかるワークが反対に抜き出てくるのも力の向きを変えた賜物である。  
【００１１】
本発明は、この天秤（テコ）が力の向きを変える働きを利用して、膜が苦手とする曲げもしくは圧縮する力を、膜が得意とする張力に換えている。この機構を用いて張殻構造を確立すれば、軟質のシート材で形成された袋状容器でありながら厚肉ボトルに近い非常に堅牢な容器を実現できる。  
【００１２】
以下、具体的な実施形態にて、どこに天秤機構が形成され、どのようにして外部からの力を張力に変換しているか。さらには、その張力を袋状容器のどの部分の膜が支えているのかを順を追って説明する。＜第１実施形態＞本発明の第１実施形態に係る袋状容器、及び容器ユニットの一例を図１〜 図１１に従って説明する。なお、図中に示す矢印Ｈは容器上下方向（鉛直方向）を示し、矢印Ｗは容器幅方向（水平方向）を示し、矢印Ｄは容器前後方向（水平方向）を示す。  
【００１３】
容器ユニット１０は、図３に示されるように、袋状容器２０（所謂ブリックパウチ）と、袋状容器２０に取り付けられる板状の台座５６と、袋状容器２０に取り付けられるポンプディスペンサー６０とを備えている。さらに、容器ユニット１０は、ポンプ６０に固定されていると共に、ポンプ６０に備えられた移動部７４を下方に付勢する付勢部材８０を備えている。  
【００１４】
具体的には、袋状容器２０は、内部に液体が充填された詰め替え用の容器であって、台座５６、及び付勢部材８０が固定されたポンプ６０は、袋状容器２０に着脱可能に取り付けられる部材である。そして、台座５６、ポンプ６０が取り付けられた袋状容器２０の内部の液体が消費されると、ユーザが、台座５６、ポンプ６０を袋状容器２０から脱離させ、新たな袋状容器２０（詰め替え用の袋状容器２０）に装着させるようになっている。すなわち、台座５６とポンプ６０とは再利用される。  
【００１５】
[袋状容器２０]袋状容器２０は、図２、図３に示されるように、上下方向に延びている袋 本体３０と、袋本体３０の上端部分に固定されたスパウト４０と、袋本体３０の下側部分に固定され、袋状容器２０に対して台座５６を着脱可能とする帯体５０とを備えている。  
【００１６】
［袋本体３０］袋本体３０は、軟質のシート材を用いて形成された袋状で、内部に液体が充填されるようになっている。また、袋本体３０は、図２、図３に示されるように、上下方向（長手方向）に直交する方向で切断した切断面が六角形状とされている（図４参照）。そして、袋本体３０は、袋本体３０の側部としての前材３２、及び後材３４と、袋本体３０の天部としての天材３６と、袋本体３０のマチとしての底材３８（底部の一例）とを有している。  
【００１７】
前材３２は、図４に示されるように、上下方向に延びており、シート面が前後方向を向いた前後面３２ｂと、前後面３２ｂに対して容器幅方向の両側に配置されると共にシート面が前後方向に対して傾斜した一対の傾斜面３２ｃとを有している。前後面３２ｂは、対向面の一例とされている。さらに、一方の傾斜面３２ｃと前後面３２ｂとの間、及び他方の傾斜面３２ｃと前後面３２ｂとの間には、容器幅方向で離間している一対の折曲部３２ａが形成されている。  
【００１８】
後材３４は、袋本体３０の中心を通り、容器前後方向に対して直交した平面（図４のＳ１）に対して、前材３２と対称形状とされている。この後材３４は、一対の折曲部３４ａと、前後面３４ｂと、一対の傾斜面３４ｃとを有している。また、後材３４の前後面３４ｂは、水平方向で前材３２の前後面３２ｂと対向している。前後面３４ｂは、対向面の一例とされている。そして、後材３４の幅方向の両端部と、前材３２の幅方向の両端部とが重なって溶着されている。  
【００１９】
天材３６は、図４に示されるように、袋本体３０の天部（天井）を構成しておている。さらに、天材３６の中心には、円形状の開口３６ａ（図３参照）が形成されている
。そして、天材３６の外周部が上方へ折り曲げられ、この折り曲げられた部分と、前材３２及び後材３４の上端部とが重なって溶着されている。  
【００２０】
底材３８は、図４に示されるように、袋本体３０の底部を構成している。そして、底材３８の外周部が下方へ折り曲げられ、この折り曲げられた部分と、前材３２及び後材３４の下端部とが重なって溶着されている。  
【００２１】
〔スパウト４０〕スパウト４０は、硬質の樹脂材料を用いて一体的に形成されている。このスパウト４０は、図３、図４に示されるように、袋本体３０の天材３６の開口３６ａから外部に突出している円筒状の円筒部４２と、円筒部４２の下端に連結され、板面が上下方向を向いた板状の支持部４４とを有している。  
【００２２】
円筒部４２の外周面には、雄ねじが形成されている。また、支持部４４は、袋本体３０の内部に配置されており、上方から見て、矩形状とされており、支持部４４には、上方から見て、前材３２の前後面３２ｂに沿った縁部４４ａと、後材３４の前後面３４ｂに沿った縁部４４ｂとが形成されている。そして、支持部４４は、袋本体３０の天材３６の裏面（袋本体３０の内部を向いた面）に図示せぬ固定材を用いて固定されている。  
【００２３】
この構成において、前材３２の前後面３２ｂの下端部分に下方へ移動させる力が作用した場合に、スパウト４０の支持部４４は、前材３２の前後面３２ｂの上端部分を支持する。これにより、前後面３２ｂの下端部分と上端部分との上下方向の距離を広げようとする力が、前材３２の前後面３２ｂに作用する。また、後材３４の前後面３４ｂの下端部分に下方へ移動させる力が作用した場合に、スパウト４０の支持部４４は、後材３４の前後面３４ｂの上端部分を支持する。これにより、前後面３４ｂの下端部分と上端部分との上下方向の距離を広げようとする力が、後材３４の前後面３４ｂに作用する。  
【００２４】
[帯体５０]帯体５０は、軟質のシート材を用いて形成されている。この帯体５０は、 図３、図４に示されるように、容器幅方向から見て、Ｕ字状とされており、一対の側部５０ａと、一対の側部５０ａの下端を連結する底部５０ｂとを有している。  
【００２５】
さらに、図５Ｂに示されるように、一方の側部５０ａは、前材３２の前後面３２ｂの下端部分に重なって溶着されている。また、他方の側部５０ａは、後材３４の前後面３４ｂの下端部分に重なって溶着されている。さらに、帯体５０の底部５０ｂは、袋本体３０の底材３８と上下方向で離間している。換言すると、帯体５０は、底材３８の外側の周縁部に跨って設けられている。そして、この帯体５０の底部５０ｂと、袋本体３０の底材３８との間には、台座５６が配置（挿入）される空間が形成されている。  
【００２６】
[台座５６]台座５６は、板状の剛体である。この台座５６は、図２、図３に示されるように、上方から見て矩形状とされており、台座５６には、下方から見て、前材３２の前後面３２ｂに沿った縁部５６ａと、後材３４の前後面３４ｂに沿った縁部５６ｂとが形成されている。そして、台座５６は、図５Ａ、図５Ｂに示されるように、帯体５０の底部５０ｂと、袋本体３０の底材３８との間に挟まれており、袋状容器２０に対して着脱可能とされている。なお、この台座５６は、袋状容器２０から離脱させることで、何度でも再利用することができる。  
【００２７】
この構成において、台座５６が袋状容器２０に装着された状態で、袋状容器２０の上下方向に延びる中心線（図６、図７の中心線Ｃ１）が、台座５６の中心（上方から見て台座５６の対角線が交差する点）を通るようになっている。また、台座５６に下方へ移動させる力が作用した場合に、この力が帯体５０を介して、前材３２の前後面３２ｂの下端部分、及び後材３４の前後面３４ｂの下端部分に伝達される。そして、前材３２の前後面３２ｂの下端部分、及び後材３４の前後面３４ｂの下端部分に下方へ移動させる力が作用する。  
【００２８】
[ポンプ６０]ポンプ６０は、袋本体３０の内部の液体を一定の容量ずつ外部に吐出させる部材であって、袋状容器２０に対して着脱可能とされている。このポンプ６０は、図１、図３に示されるように、上下方向に延びている円柱状の縦通材７８と、縦通材７８に対して上下方向に移動可能とされたピストン６４と、縦通材７８の上端に固定された円盤状のエンド部６６とを備えている。さらに、ポンプ６０は、エンド部６６の下側で、エンド部６６及び縦通材７８に対して縦通材７８の周方向に移動可能とされたキャップ部６８と、後述するパイプ７０を通った液体が注出される注出ノズル７２とを備えている。このキャップ部６８は、円筒状とされ、キャップ部６８の内周面には、スパウト４０の円筒部４２（図３参照）の外周面に形成された雄ねじと噛合う雌ねじが形成されている。  
【００２９】
また、縦通材７８は、エンド部６６が固定されている本体部６２と、本体部６２の下端より下方へ延びているパイプ７０と、本体部６２の下方で、パイプ７０の一部が挿入され、本体部６２に対して上下方向に移動可能とされた移動部７４とを備えている。  
【００３０】
この構成において、図６、図７に示されるように、ポンプ６０の縦通材７８をスパウト４０の円筒部４２から袋本体３０の内部に挿入し、ポンプ６０のキャップ部６８をスパウト４０の円筒部４２に締め込むことで、ポンプ６０は、袋状容器２０に装着される。ポンプ６０が袋状容器２０に装着された状態で、袋状容器２０の上下方向に延びる中心線Ｃ１と、縦通材７８の上下方向に延びる中心線とは重なっている。さらに、ポンプ６０（縦通材７８）は、縦通材７８の下端を支点として、台座５６に対して傾倒可能とされている（図８、図９参照）。  
【００３１】
なお、このポンプ６０は、袋状容器２０から離脱させることで、何度でも再利用することができる。  
【００３２】
[付勢部材８０]付勢部材８０は、容器幅方向から見て、図６に示されるように、縦通材７８に対して前後に配置されている帯状の板バネである。付勢部材８０が上下から圧縮されると、付勢部材８０は、図７に示すように、前後方向に、略Ｖ字状にアーチを描いて撓む。  
【００３３】
具体的には、縦通材７８に対して前側に、２個の付勢部材８０が上下方向に並んで配置され、縦通材７８に対して後側に、２個の付勢部材８０が上下方向に並んで配置されている。また、幅方向から見て、縦通材７８に対して前側に配置された付勢部材８０と、縦通材７８に対して後側に配置された付勢部材８０とは、対称に配置されている。  
【００３４】
そして、上方側に配置された付勢部材８０の上端８０ｂが、縦通材７８の本体部６２に図示せぬ固定部材で固定され、上方側に配置された付勢部材８０の下端８０ｃが、下方側に配置された付勢部材８０の上端８０ｂに図示せぬ固定部材で固定されている。さらに、下方側に配置された付勢部材８０の下端８０ｃが、縦通材７８の移動部７４に図示せぬ固定部材で固定されている。  
【００３５】
換言すれば、上方側に配置された付勢部材８０の下端８０ｃは、下方側に配置された付勢部材８０を介して縦通材７８の移動部７４に図示せぬ固定部材で固定されている。また、下方側に配置された付勢部材８０の上端８０ｂは、上方側に配置された付勢部材８０を介して縦通材７８の本体部６２に図示せぬ固定部材で固定されている。  
【００３６】
また、容器幅方向から見て、付勢部材８０において屈曲した屈曲部８０ａは、付勢部材の上端８０ｂ及び下端８０ｃに対して前後面３２ｂ、３４ｂ側に張り出している。屈曲部８０ａは、中間部の一例である。  
【００３７】
さらに、上方側に配置された付勢部材８０の下端８０ｃと下方側に配置された付勢部材８０の上端８０ｂとが固体された固定部分が、容器前後方向に移動するのを規制する規制部材８２が設けられている。具体的には、規制部材８２は、環状とされており、縦通材７８に対して前側に配置された付勢部材８０の固定部分と、縦通材７８に対して後側に配置された付勢部材８０の固定部分とを外側から囲むように配置されている。  
【００３８】
この構成において、図６に示されるように、ポンプ６０の縦通材７８をスパウト４０の円筒部４２から袋本体３０の内部に挿入した状態（付勢部材８０に外力が蓄勢されていない状態（付勢部材８０が圧縮されていない状態））では、本体部６２と移動部７４とは上下方向で離間している。さらに、この状態では、付勢部材８０の略Ｖ字状に張り出し屈曲部８０ａは自身の弾性で上下方向に延びて縦通材７８側に引きこもり、湾曲部８０ａと、袋本体３０の前後面３２ｂ、３４ｂとは、容器前後方向で離間している。  
【００３９】
これに対して、図７に示されるように、ポンプ６０を袋状容器２０に装着した状態では、付勢部材８０が弾性変形することで、本体部６２と移動部７４とは接触する。具体的には、付勢部材８０は、上下方向に圧縮されると、上端８０ｂ及び下端８０ｃが上下方向で近接するように、付勢部材８０が略Ｖ字状に弾性変形して、屈曲部８０ａは、前後方向に張り出す。これにより、付勢部材８０の屈曲部８０ａは、袋本体３０の前後面３２ｂ、３４ｂ側に移動して、前後面３２ｂ、３４ｂと接触する。  
【００４０】
このように、縦通材７８に対して前側及び後側に配置されている一対の付勢部材８０は、パンタグラフのように移動する。また、夫々の付勢部材８０は、アーチ状に変形し、前後面３２ｂ、３４ｂを袋本体３０の内部から支持する飛梁として機能する。  
【００４１】
[作用]次に、袋状容器２０、及び容器ユニット１０の作用について説明する。先ず、ポンプ６０、及び台座５６を袋状容器２０に装着して容器ユニット１０とする工程について説明する。  
【００４２】
台座５６は、図５Ａ、図５Ｂに示されるように、容器幅方向から、帯体５０の底部５０ｂと袋本体３０の底材３８との間に差し込まれる。これにより、台座５６は、帯体５０の底部５０ｂと、袋本体３０の底材３８との間に挟まれ、袋状容器２０に装着される。  
【００４３】
ポンプ６０の縦通材７８は、図６に示されるように、スパウト４０の円筒部４２から袋本体３０の内部に挿入される。付勢部材８０は、付勢部材８０の屈曲部８０ａが縦通材７８に近接するように付勢部材８０が弾性変形することで、スパウト４０の円筒部４２を通過する。この状態では、本体部６２と移動部７４とは上下方向で離間しており、かつ、付勢部材８０の屈曲部８０ａと袋本体３０の前後面３２ｂ、３４ｂとは容器前後方向で離間している。  
【００４４】
さらに、ポンプ６０のキャップ部６８をスパウト４０の円筒部４２に締め付けることで、図７に示されるように、付勢部材８０が弾性変形して、ポンプ６０は、袋状容器２０に装着される。具体的には、付勢部材８０の上端８０ｂ及び下端８０ｃが上下方向で近接するように、付勢部材８０が弾性変形する。これにより、付勢部材８０の屈曲部８０ａが、袋本体３０の前後面３２ｂ、３４ｂ側に移動して、前後面３２ｂ、３４ｂと接触する。  
【００４５】
また、弾性変形している付勢部材８０は、移動部７４を台座５６側（下方側）に付勢する。これにより、スパウト４０に対して相対的に下方へ移動させる力が台座５６に作用する。台座５６に作用した力は、帯体５０を介して、前材３２の前後面３２ｂの下端部分、及び後材３４の前後面３４ｂの下端部分に伝達される。そこで、前材３２の前後面３２ｂの下端部分、及び後材３４の前後面３４ｂの下端部分に、スパウト４０に対して相対的に下方へ移動させる力が作用する。  
【００４６】
一方、スパウト４０の支持部４４は、前材３２の前後面３２ｂの上端部分、及び後材３４の前後面３４ｂの上端部分を支持している。これにより、前後面３２ｂの下端部分と上端部分との上下方向の距離を広げようとする力が、前材３２の前後面３２ｂに作用する。同様に、前後面３４ｂの下端部分と上端部分との上下方向の距離を広げようとする力が、後材３４の前後面３４ｂに作用する。  
【００４７】
これにより、前材３２の前後面３２ｂ、及び後材３４の前後面３４ｂには、上下方向の張力（以下「初期張力」）が生じる。袋本体３０を構成している軟質のシート材は、曲げや圧縮に対して応力（抵抗力）を殆ど生じない。しかし、軟質のシート材
は、引張りに対しては強靭な応力（抵抗力）を生じる。具体的には、台座５６を天秤棒とし、縦通材７８の下端を支点として、台座５６及び縦通材７８によって倒立した天秤（倒立天秤）が構成されていると仮定する。そうすると、台座５６の一端に作用している前後面３２ｂの初期張力と、台座５６の他端に作用している前後面３４ｂの初期張力とが、縦通材７８の下端を支点として釣り合っている。  
【００４８】
ここで、袋本体３０を構成している軟質のシート材は、曲げや圧縮に対して応力（抵抗力）を殆ど生じない。しかし、軟質のシート材は、引っ張りに対して応力（抵抗力）を生じる。換言すれば、軟質のシート材に張力が生じることで、シート材の曲げ剛性が向上し、シート材の姿勢が安定する。  
【００４９】
本実施形態では、前述したように、前材３２の前後面３２ｂに上下方向の初期張力が生じ、かつ、後材３４の前後面３４ｂに上下方向の初期張力が生じている。さらに、前後面３２ｂに生じる張力と、前後面３４ｂに生じる張力とは、移動部７４の下端を支点にして釣り合っている。これより、袋状容器２０の曲げや圧縮に対して剛性が向上することで、袋状容器２０の姿勢が安定する。  
【００５０】
このように、前材３２の前後面３２ｂ、及び後材３４の前後面３４ｂに上下方向の初期張力が生じることで袋状容器２０の曲げや圧縮に対して剛性を向上させる構造を、張殻構造とよぶ。  
【００５１】
次に、容器ユニット１０を傾倒させようとする（傾けて容器の左右前後に働く力のバランスを崩して倒そうとする）外力が容器ユニット１０に作用した場合について説明する。  
【００５２】
図８に示されるように、容器幅方向から見て、容器ユニット１０の先端が後側に移動するように容器ユニット１０を傾倒させる外力が容器ユニット１０に作用すると、縦通材７８は、縦通材７８の下端を支点として後方側へ傾倒する。そして、縦通材７８が縦通材７８の下端を支点として後方側へ傾倒すると（縦通材７８と台座５６が成す倒立天秤が後方へ傾斜すると）、スパウト４０の支持部４４の縁部４４ａと台座５６の縁部５６ａとの距離（図中の距離Ｌ１）が広がる（倒立天秤が、傾きを抑止するのに最も適当な位置の側膜に張力を出すように自動で指示する）。これにより、前材３２の前後面３２ｂに生じている張力が、初期張力と比して強くなり、容器ユニット１０の傾倒が抑制される。  
【００５３】
そして、容器ユニット１０を傾倒させる外力が解除されると、前後面３２ｂの張力と、前後面３４ｂの張力とが、縦通材７８の下端を支点として釣り合うことで、容器ユニット１０の姿勢は、図７に示す初期状態に復帰する。  
【００５４】
また、図９に示されるように、容器幅方向から見て、容器ユニット１０の先端が前側に移動するように容器ユニット１０を傾倒させる外力が容器ユニット１０に作用すると、縦通材７８は、縦通材７８の下端を支点として前方側へ傾倒する。そして、縦通材７８が縦通材７８の下端を支点として前方側へ傾倒すると（縦通材７８と台座５６が成す倒立天秤が前方へ傾斜すると）、スパウト４０の支持部４４の縁部４４ｂと台座５６の縁部５６ｂとの距離（図中の距離Ｌ２）が広がる（倒立天秤が、傾きを抑止するのに最も適当な位置の側膜に張力を出すように自動で指示する）。これにより、後材３４の前後面３４ｂに生じている張力が、初期張力と比して強くなり、容器ユニット１０の傾倒が抑制される。  
【００５５】
そして、容器ユニット１０を傾倒させる外力が解除されると、前後面３２ｂの張力と、前後面３４ｂの張力とが、縦通材７８の下端を支点として釣り合うことで、容器ユニット１０の姿勢は、図７に示す初期状態に復帰する。  
【００５６】
また、図１０に示されるように、容器前後方向から見て、容器ユニット１０の先端が幅方向の一方側に移動するように容器ユニット１０を傾倒させる外力が容器ユニット１０に作用すると、縦通材７８は、縦通材７８の下端を支点として幅方向の一方側へ傾倒する。そして、縦通材７８が縦通材７８の下端を支点として幅方向の一方側へ傾倒すると（縦通材７８と台座５６が成す倒立天秤が前方へ傾斜すると）、スパウト４０の支持部４４において幅方向の他端部と、台座５６の幅方向の他端部との距離（図中の距離Ｌ３）が広がる（倒立天秤が、傾きを抑止するのに最も適当な位置の側膜に張力を出すように自動で指示する）。このため、前後面３２ｂ、３４ｂにおいて幅方向の他端側の部分に生じている張力が、初期張力と比して強くなり、容器ユニット１０の傾倒が抑制される。  
【００５７】
そして、容器ユニット１０を傾倒させる外力が解除されると、前後面３２ｂ、３４ｂにおいて幅方向の他端側の部分に生じている張力と、幅方向の一端側の部分に生じている張力とが、縦通材７８の下端を支点として釣り合う。これにより、容器ユニット１０の姿勢は、図７に示す初期状態に復帰する。  
【００５８】
また、図１１に示されるように、容器前後方向から見て、容器ユニット１０の先端が幅方向の他方側に移動するように容器ユニット１０を傾倒させる外力が容器ユニット１０に作用すると、縦通材７８は、縦通材７８の下端を支点として幅方向の他方側へ傾倒する。そして、縦通材７８が縦通材７８の下端を支点として幅方向の他方側へ傾倒すると（縦通材７８と台座５６が成す倒立天秤が前方へ傾斜すると）、スパウト４０の支持部４４において幅方向の一端部と、台座５６の幅方向の一端部との距離（図中の距離Ｌ４）が広がる（倒立天秤が、傾きを抑止するのに最も適当な位置の側膜に張力を出すように自動で指示する）。このため、前後面３２ｂ、３４ｂにおいて幅方向の一端側の部分に生じている張力が、初期張力と比して強くなり、容器ユニット１０の傾倒が抑制される。  
【００５９】
そして、容器ユニット１０を傾倒させる外力が解除されると、前後面３２ｂ、３４ｂにおいて幅方向の他端側の部分に生じている張力と、幅方向の一端側の部分に生じている張力とが、縦通材７８の下端を支点として釣り合う。これにより、容器ユニット１０の姿勢は、図７に示す初期状態に復帰する。  
【００６０】
このように、容器ユニット１０を傾倒させようとする外力は、前後面３２ｂ、３４ｂの少なくとも一部の張力を、初期張力と比して強くするように作用する。換言すれば、容器ユニット１０を傾倒させようとする外力は、倒立天秤の働きにより、前後面３２ｂ、３４ｂの少なくとも一部を引っ張る張力に変換される。  
【００６１】
次に、袋状容器２０を前後方向から挟む外力が容器ユニット１０に作用した場合について説明する（容器に対して前後から作用する力のバランスは崩れていない、このため倒立天秤は、倒立天秤が傾くことで挟持力（容器を挟む力）を検出することはできない）。  
【００６２】
図７に示されるように、容器幅方向から見て、袋状容器２０を前後方向から挟む外力（図中の矢印Ｆ１）が容器ユニット１０に作用すると、付勢部材８０の屈曲部８０ａが、縦通材７８側に移動する（図中二点鎖線参照）。付勢部材８０の屈曲部８０ａが縦通材７８側に移動すると、付勢部材８０の上端８０ｂと下端８０ｃとの距離（図中の距離Ｌ１０）が広がろうとする。これにより、移動部７４を台座５６側（下方側）に付勢する付勢力が、強くなる（付勢部材２０（飛梁）のアーチが、挟持力を検出し、倒立天秤の支点に外力の存在を知らせる）。  
【００６３】
さらに、移動部７４を台座５６側（下方側）に付勢する付勢力が、台座５６及び帯体５０を介して、前材３２の前後面３２ｂの下端部分、及び後材３４の前後面３４ｂの下端部分に伝達される。そこで、前材３２の前後面３２ｂの下端部分、及び後材３４の前後面３４ｂの下端部分を下方へ移動させる力が強くなる（付勢部材２０（飛梁）からの知らせで倒立天秤は、前後両方の側膜に均等にバランスよく張力を出すように自動で指示する）。これにより、前後面３２ｂ、３４ｂに生じている張力が初期張力と比して強くなることで、袋状容器２０の曲げ剛性が向上する。  
【００６４】
このように、容器ユニット１０の袋状容器２０を前後方向から挟む外力は、前後面３２ｂ及び前後面３４ｂを引っ張る張力に変換される。（付勢部材２０（飛梁）の助けを借りることで、倒立天秤は、挟持力を張力に変換できる。具体的には、付勢部材２０（飛梁）を無くしても倒立天秤単独で挟持力を張力に変換することはできるのだが、側膜を酷使することとなるので、付勢部材２０（飛梁）を備えた縦通材７８を用いて説明した）。  
【００６５】
[まとめ]以上、説明したように、袋状容器２０においては、台座５６及びポンプ６０を袋状容器２０に装着させることで、袋本体３０の前材３２の前後面３２ｂ、及び後材３４の前後面３４ｂに、上下方向の初期張力が生じる。さらに、前後面３２ｂに生じる張力と、前後面３４ｂに生じる張力とは、縦通材７８の下端を支点して釣り合っている。これにより、袋状容器２０の曲げや圧縮に対する剛性が向上することで、袋状容器２０の姿勢が安定する。そして、袋状容器２０の姿勢が安定することで、袋状容器２０が傾倒するのを抑制することができる。さらに、付勢部材８０によって、袋状容器２０が握り潰されるのを抑制することができる。  
【００６６】
また、袋状容器２０においては、前後面３２ｂ、３４ｂの下端部分に取り付けられた帯体５０の底部５０ｂと、袋本体３０の底材３８との間に台座５６を差し込むようになっている。これにより、台座５６を袋状容器２０に容易に着脱することができる。  
【００６７】
また、容器ユニット１０においては、袋状容器２０と同様に、袋本体３０の前材３２の前後面３２ｂ、及び後材３４の前後面３４ｂに、上下方向の初期張力が生じることで、袋状容器２０の曲げ剛性が向上して、袋状容器２０の姿勢が安定する。そして、袋状容器２０の姿勢が安定することで、袋状容器２０が傾倒するのを抑制することができる。  
【００６８】
また、容器ユニット１０を傾倒させる外力が解除されると、前後面３２ｂの張力と、前後面３４ｂの張力とが、縦通材７８の下端を支点として釣り合うことで、容器ユニット１０の姿勢を初期状態に復帰させることができる。  
【００６９】
また、付勢部材８０は、縦通材７８の移動部７４を台座５６側に付勢している。このため、例えば、経時的に前後面３２ｂ、３４ｂの長さが変化した場合でも、付勢部材が設けられていない場合と比して、前材３２の前後面３２ｂ、及び後材３４の前後面３４ｂに生じる初期張力が弱くなる（低下する）のを抑制することができる。  
【００７０】
また、略Ｖ字状にアーチを描いた付勢部材８０の屈曲部８０ａは、付勢部材８０の上端８０ｂ及び下端８０ｃに対して前後面３２ｂ、３４ｂ側に配置されている。これにより、付勢部材８０は、袋状容器２０を両側から挟むように容器ユニット１０に作用した外力によって、前後面３２ｂ、３４ｂが凹んでしまうのを抑制することができる控え壁（補強壁）ともなっている。  
【００７１】
また、略Ｖ字状にアーチを描いた付勢部材８０の屈曲部８０ａは、付勢部材８０の上端８０ｂ及び下端８０ｃに対して前後面３２ｂ、３４ｂ側に配置されている。これにより、袋状容器２０を前後方向から挟む外力が容器ユニット１０に作用した場合に、屈曲部８０ａが縦通材７８側に移動することで、移動部７４を台座５６側に付勢する付勢力が強くなる。さらに、移動部７４を台座５６側に付勢する付勢力が強くなることで、前後面３２ｂ、３４ｂに生じている張力が初期張力と比して強くなる。このため、袋状容器２０の姿勢を、さらに安定させることができる。  
【００７２】
また、縦通材７８に対して前側及び後側に配置されている一対の付勢部材８０は、袋状容器２０を両側から挟むと、パンタグラフのように移動する。これにより、袋状容器２０を両側から挟むように容器ユニット１０に作用した外力を、移動部７４を台座５６側に付勢する付勢力に容易に変換することができる。  
【００７３】
＜第２実施形態＞本発明の第２実施形態に係る袋状容器、及び容器ユニットの一例を図１２Ａ、図１２Ｂに従って説明する。なお、第２実施形態については、第１実施形態と異なる部分を主に説明する。  
【００７４】
図１２Ａに示されるように、容器ユニット１１０に備えられた袋状容器１２
０の袋本体３０において、前材３２の前後面３２ｂの下端部分には、底材３８の上下方向を向いた上下面３８ａと比して下方へ張り出した張出部１３６が形成されている。さらに、袋状容器１２０の袋本体３０において、後材３４の前後面３４ｂの下端部分には、底材３８の上下面３８ａと比して下方へ張り出した張出部１３８が形成されている。  
【００７５】
また、張出部１３６、１３８には、表裏を貫通する係止孔１３６ａ、１３８ａが夫々形成されている。具体的には、係止孔１３６ａは、容器幅方向に並んで２個形成されており、係止孔１３８ａは、係止孔１３６ａと前後方向で対向するよう２個形成されている。換言すると、底材３８の外側の張出部１３６、１３８（周縁部の一例）には、係止孔１３６ａ、１３８ａが形成されている。  
【００７６】
さらに、台座１５６には、係止孔１３６ａ、１３８ａに挿入される（係合される）係合突起１５６ａが、４個形成されている。  
【００７７】
この構成において、図１２Ａ、図１２Ｂに示されるように、台座１５６に形成された係合突起１５６ａを、係止孔１３６ａ、１３８ａに挿入することで、台座１５６が、袋状容器２０に装着される。一方、台座１５６に形成された係合突起１５６ａを、係止孔１３６ａ、１３８ａから抜き取ることで、台座１５６が、袋状容器２０から離脱される。このように、袋状容器２０に対して台座１５６を着脱することができる。  
【００７８】
第２実施形態の他の作用については、第１実施形態において帯体を備えることで奏する作用以外の採用と同様である。    
【００７９】
<第３実施形態>これまでは縦通材７８の押圧で離間しようとするスパウト４０と台座の間を繋ぎ張力（自立力）を発生させるものとして袋状容器２０自身の側膜を用いた形態を紹介してきた。しかし、張力の発生は原理的にはスパウト４０から台座に渡るものなら他のものでも可能で、袋状容器の側膜に限る必要はない。  
【００８０】
図１６（ａ）はスパウト４０と台座９２の間を繋ぐものとして、吊紐９０を用いて張力を発生させる仕組みを表す。構造を明快に描くため縦通材７８を挿入した袋状容器２０の姿は割愛してあるが、各吊紐９０１、９０２、９０３、９０４で囲われた中心空間には袋状容器２０が存在し、その袋状容器上部のスパウト４０がスパウト挟持部９１５の穴に勘合して捉えられていると想像して眺めてほしい。張殻式軟包装容器の原出願であり、本出願とも優先権で結ばれている日本国特許第６３２９２９８号の図２３と等価であることは容易に理解できよう。ゆえに、図１６（ａ）の吊紐９０は自立力を備えている。  
【００８１】
自立した（張力を持った）吊紐９０は琴線のよう緊張した状態で、縦通材を囲っている。図１６（ａ）では垂直に立つ４本の幅のない細い吊紐９０で簡潔に描いたが、紐は細いものである必要はなく幅のある帯状の膜であっても等価な働きをする。図１７は図１６の吊紐９０２と９０３を吊膜９０５で、吊紐９０１と９０４を吊膜９０６でまとめたものである。吊紐０９１と９０２の間ならびに９０３と９０４の間は膜とする必要はない。ゆえに吊膜９０５と９０６が前後向かい、その中心には縦通材もこの膜と平行に配置され、側方から見ると３本の格子が並んだような構造となる。この格子の隙を巡るように袋状容器の側膜は取り付けられる。もちろん、袋状容器は外周を緊張した吊紐９０もしくは幅のある帯状の吊膜９０５、９０６に囲われ支えられているので倒伏することはない。  しかも、袋状容器の底部は縦通材７８下端と台座５６の間に挟まれて固定され、袋状容器の上部もやはり縦通材によりスパウトを固定されているので、籠の中で勝手に位置をかえることもない。すなわち、袋状容器は外力が作用しても自立姿勢を保つ。  以上のような理由から本文ではこの格子状の籠を模した保持器を『準張殻式籠型ホルダー』と命名した。  
【００８２】
籠型の張殻構造から得られる効果は、図１や図１２Ａで紹介した実施形態１〜３でも得られる。それにも拘らず袋状容器２０の側膜で張力を発生させれば用は足りることを、なぜ袋状容器の外側に籠状の構造を用意し第３の形態としたのか？。その目的は、ノーマルな袋状容器でも張殻構造による直立性を得られるようにするためである。図１や図１２Ａで紹介した実施形態では、袋状容器底面に台座を装着するための帯体５０ないしは係止孔１３６ａ，１３８ａという特異な構造を必要とする。これは既存の生産装置に若干の改造が必要であることを意味する。生産者視点から言えば既存設備をそのまま使いまわしたいとする要望が当然出てくる。そこで従来の生産設備から作り出される、帯体５０や係止孔１３６ａ、１３８ａが無いノーマルな袋状容器でも張殻構造の恩恵に与れる方法が望まれることは容易に想像つく。  
【００８３】
すでに述べたように、籠型の張殻構造は吊紐もしくは帯状の膜が成す仮想的な籠の中に袋を置くだけなので、スパウト付容器であるなら、あらゆる形態の袋状容器に遍く対応できる。すなわち、汎用性（産業上の利用価値）が飛躍的に向上する。これが、準張殻式籠型ホルダーを登場させた理由である。また、天秤の傾斜で張力を発生するのはホルダーに設けられている吊紐もしくはこれと等価な膜で、実施形態１〜３のように袋状容器側部が張力を発生するわけではないので、袋状容器の膜強度を張力を想定したものとする必要はなく、従来通りただひたすら内容物が漏れ出さないことだけに専念できるので、袋の設計自由度が増すという効果が派生的に得られる。  
【００８４】
上記１〜３の実施形態の説明中では、特に触れなかったが、本実施形態は、スパウトが設けられた天材を上面に、底材を下面に、そして上面と下面の間を接合して成した、一対の前後面の側部の下端に台座を接続し、スパウトの開口部から袋内に挿入した縦通材をスパウトに取り付けることで下方へ押し下げ（締め押し下げ）、縦通材の下端で底材を台座に押し付けることでスパウトと台座の間を押し広げ、台座に接続されている本体の側部に縦方向の十分な初期張力を与えておくと、容器に作用する曲げや圧縮の任意の向きの力が、縦通材を支点に向きを揃えられ、本体の側部へ張力に化けて渡されるようになる現象を利用し、台座と縦通材の間に底材を咥え固定すると同時に本体の側部に生まれる張力の緊張で以って本体の側部を袋の芯を通る縦通材の姿勢を保持する支線としても利用する構造にて外力に拮抗し、袋の直立性を高めている。  
【符号の説明】
【００８５】
１０ 容器ユニット２０ 袋状容器３０ 袋本体３２ 前材（側部の一例）３２ｂ 前後面（対向面の一例）３４ 後材（側部の一例）３４ｂ 前後面（対向面の一例）３６ 天材（天部の一例）３６ａ 開口３８ 底材（底部の一例）４０ スパウト５０ 帯体５６ 台座６２ 本体部７４ 移動部７８ 縦通材８０ 付勢部材８０ａ 屈曲部（中間部の一例）８０ｂ 上端８０ｃ 下端１１０  容器ユニット１２０   袋状容器１３６ａ 係止孔１３８ａ 係止孔１５６   台座１５６ａ 係合突起２１０   容器ユニット９０    吊紐群（サスペンダー）９１１  吊紐９１２  吊紐９１３  吊紐９１４  吊紐９１５  吊膜９１６  吊膜９１    スパウト挟持材９１１  結合部９１２  結合部９１３  結合部９１４  結合部９１５  スパウト保持部９２    台座９２１  結合部９２２  結合部９２３  結合部９２４  結合部  
【図１】
2020007048.tif 000003
【図２】
2020007048.tif 000004
【図３】
2020007048.tif 000005
【図４】
2020007048.tif 000006
【図５Ａ】
2020007048.tif 000007
【図５Ｂ】
2020007048.tif 000008
【図６】
2020007048.tif 000009
【図７】
2020007048.tif 000010
【図８】
2020007048.tif 000011
【図９】
2020007048.tif 000012
【図１０】
2020007048.tif 000013
【図１１】
2020007048.tif 000014
【図１２Ａ】
2020007048.tif 000015
【図１２Ｂ】
2020007048.tif 000016
【図１３】
2020007048.tif 000017
【図１４】
2020007048.tif 000018
【図１５】
2020007048.tif 000019
【図１６】
2020007048.tif 000020
【図１７】
2020007048.tif 000021